(57)【特許請求の範囲】
【請求項１】
座部背後に１組のフード体装着柱を設けた車椅子本体と、該１組のフード体装着柱に支承される１組の支柱に後端を支持されて前方に延長した略半円筒状の主フード体と、該主フード体の左右の下縁部に左右の下縁部を支持されて該主フード体の内側に設けた略半円筒状の副フード体とを含み、前記１組の支柱は前記１組のフード体装着柱に対して着脱可能であり、前記副フード体は前記主フード体の内側を前後方向に平行移動可能としたフード付車椅子において、前記副フード体は、左右の下縁部が外側方に張り出して、前記主フード体の左右の下縁部の内側に設けたチャンネル状レール内の複数のローラ上に支持されていることを特徴とする、フード付車椅子。
【請求項２】
前記主フード体は、剛性の補強用枠体と遮光性の合成樹脂板体とから形成されている、請求項１に記載のフード付車椅子。
【請求項３】
前記副フード体は、透明な合成樹脂板体から形成されている、請求項１または２に記載のフード付車椅子。
【発明の詳細な説明】
【０００１】
【発明の属する技術分野】
本発明は、フード付車椅子に関するものであり、さらに詳しくは、晴雨共用のフードを備えてなるフード付車椅子に関するものである。
【０００２】
【従来の技術】
現在、車椅子の利用者は、雨の日などに外出する際には、コート・雨合羽等を使用して対応しているが、その不便さは健常者には想像のつかないものがある。また晴れた日には、陽射しを避けるために帽子を着用すると、暑い季節には蒸れ易く、不快感を味わうことが避けられなかった。
【０００３】
【発明が解決しようとする課題】
そして、車椅子の利用者が、晴雨にかかわらず快適に外出できるように、強い陽射しを防ぐことができるほか、俄雨などにも対応でき、しかも簡単に着脱操作ができる、フード付車椅子の開発が望まれていた。そこで本発明は、陽射しを避けると共に、雨よけのための拡張機能を付加したフードを、車椅子本体に対して簡単に着脱できる、フード付車椅子を提供することを目的とした。
【０００４】
【課題を解決するための手段】
本発明にかかるフード付車椅子は、上記の目的を達成するため、座部背後に１組のフード体装着柱を設けた車椅子本体と、該１組のフード体装着柱に支承される１組の支柱に後端を支持されて前方に延長した略半円筒状の主フード体と、該主フード体の左右の下縁部に左右の下縁部を支持されて該主フード体の内側に設けた略半円筒状の副フード体とを含み、前記１組の支柱は前記１組のフード体装着柱に対して着脱可能であり、前記副フード体は前記主フード体の内側を前後方向に平行移動可能としたフード付車椅子において、前記副フード体は、左右の下縁部が外側方に張り出して、前記主フード体の左右の下縁部の内側に設けたチャンネル状レール内の複数のローラ上に支持されるように、構成されているものである。
【０００５】
本発明において、前記主フード体は、剛性の補強用枠体と遮光性の合成樹脂板体とから形成されていることが好ましく、また、前記副フード体は、透明な合成樹脂板体から形成されていることが好ましい。
【０００７】
【発明の実施の形態】
以下、本発明にかかるフード付車椅子を図面に基づいて説明するが、図１は本発明のフード付車椅子の使用状態を示し、また図２は同じく本発明のフード付車椅子全体の背面側からの外観を示している。
これらの図において、１は車椅子本体であり、２は主フード体、３は副フード体である。
【０００８】
車椅子本体１の左右の側部には、それぞれ車輪部分を取り付けるための、金属パイプなどからなる枠構造１１、１１が設けられており、座部１２の左右縁を支持すると共に、背面側、すなわち座部１２及び背もたれ部１３の後方で、同じく金属パイプなどからなる連結部材１４、１４によって、一体に結合されている。そして、背当て部１３の後方の左右位置には、これらの連結部材１４、１４と直交するように結合された、一組のフード体装着柱１５、１５が、主フード体２を支えるように立設されている。
【０００９】
主フード体２は、図２に示すように、繊維補強合成樹脂からなる略半円筒状の主フード板２０と、該主フード板２０の周縁と後端開口部とに結合され、例えば金属管などで形成されたフード補強枠２２とから組み立てられている。そしてまた、該フード補強枠２２の後端部には一組の支柱２３、２３が設けられていて、該支柱２３、２３の下端部は、図２及び図３から分かるように、前記のフード体装着柱１５、１５の上端に挿着した上、止めネジ１６、１６で締止することにより、車椅子本体１と着脱可能に結合できるように構成されている。
【００１０】
従って、フード体装着柱１５、１５を介して車椅子本体１に取り付けられた主フード体２は、搭乗者の上半身を覆うことになり、太陽光の照射を受けても、繊維補強合成樹脂からなる主フード板２０が光を散乱させるので、搭乗者が直射日光に曝されることがない。また、主フード体２の左右の下縁部の外側に配設されたフード補強枠２２は、図４に示されているように、主フード板２０の側端に形成された樋状部２１に囲まれた状態で、取り付けてある。そのため、少々の雨が降っても、樋状部２１内に集まった雨水は主フード体２の下縁後端から雫となって滴下し、搭乗者は濡れることなく車椅子を走行させることができる。
【００１１】
また、上記の主フード体２の下側には、図１や図５から分かるように、透明な合成樹脂で形成された略半円筒状の副フード体３が設けられている。この副フード体３は、前記の主フード体２の内側に格納され、必要に応じて前方に繰り出すことができるように、主フード体２と同様な形状であるが少し小型に形成されているものである。
【００１２】
更に、主フード体２の左右の下縁部の内側には、フード補強枠２２と背中合わせとなるように、Ｕ形の断面形状を備えたガイド部材４１がそれぞれ配設され、該フード補強枠２２と該ガイド部材４１が、主フード体２の下縁部を挟んで、ボルト４２により結合されている。そして、該左右のガイド部材４１のガイド溝内には、それぞれ複数のガイドローラ４３が設けられていて、前記の副フード体３の左右の下縁に形成された張出縁３１を、該ガイドローラ４３で支えるように構成されている。その一方で、該張出縁３１の端部にはストッパピン３２が設けられており、ガイドローラ４３に該ストッパピン３２が当接することにより、張出縁３１がガイドローラ４３上から逸脱しないようになっている。
【００１３】
このように、主フード体２の内側に設けられた副フード体３は、常時は主フード体２内に格納されていて、例えば雨が強くなったときなどに、主フード体２より前方に繰り出すことにより、搭乗者の脚部が雨滴で濡れないようにすることができる。その際に、上記のような取り付け構造を備えている副フード体３は、ガイド部材４１に沿って円滑に前後移動でき、しかも、その繰り出し操作は搭乗者にとって極めて容易に行えるものである。
【００１４】
【発明の効果】
本発明にかかるフード付車椅子は、略半円筒状のフード体の後端に略垂直な支柱を設けて、車椅子本体の後部に設けたフード体装着柱に、着脱可能に支承するようにし、更に該フード体を、主フード体と、その内側を前後方向に平行移動可能に設けた副フード体とから、構成したものであるから、天候に合わせて簡単に着脱でき、晴天時の日差し避けや、雨天時の雨避け用として利用できる。そして、雨の降り具合に応じてフード体を拡張できるので、特に帽子やレインコートなどを着用することなく、車椅子を使用できる利点がある。
【図面の簡単な説明】
【図１】本発明のフード付車椅子の使用状態を示す外観図である。
【図２】本発明のフード付車椅子のフードと車椅子本体との結合状態を説明する背面図である。
【図３】本発明における車椅子本体とフードとを結合する要部の説明図である。
【図４】本発明における主フード体の側端部の構造を示す断面図である。
【図５】本発明におけるフードの構造を示す側面図である。
【符号の説明】
１      車椅子本体
１１    枠構造
１２    座部
１３    背もたれ部
１４    連結部材
１５    フード体装着柱
１６    止めネジ
２      主フード体
２０    主フード板
２１    樋状部
２２    フード補強枠
２３    支柱
３      副フード体
３１    張出縁
３２    ストッパピン
４１    ガイド部材
４２    ボルト
４３    ガイドローラ
【図１】
0003543080.tif 000002
【図２】
0003543080.tif 000003
【図３】
0003543080.tif 000004
【図４】
0003543080.tif 000005
【図５】
0003543080.tif 000006